(57)【特許請求の範囲】
【請求項１】
上端がクレーンけた上を移動するトロリ底部に固定されて吊り下げられ、下端がヘッドブロック上に配設されたケーブルバスケット内にとぐろを巻いて収納されて、コンテナを把持するスプレッダ上の機器に給電する給電ケーブルを支持するコンテナクレーンの給電装置であって、トロリ上に、給電ケーブルの固定部をけたの長手方向に移動するケーブル移動装置を設けて、ヘッドブロックを吊り上げる際に生じる給電ケーブルのケーブルバスケットからのはみだしを防止するようにしたことを特徴とするコンテナクレーンの給電装置。
【請求項２】
上記給電ケーブルをけたの長手方向に加えてけたの幅方向にも移動可能にした請求項１記載のコンテナクレーンの給電装置。
【発明の詳細な説明】
【０００１】
【発明の属する技術分野】
本発明は、コンテナクレーンの給電装置に関するものである。
【０００２】
【従来の技術】
コンテナクレーンは、岸壁に沿って敷設された走行レール上を走行して接岸したコンテナ船との間でコンテナの積み込みまたは積み降ろしを行う。コンテナクレーンの脚の上部には、走行レールと直交するように水平に設けられたガーダとガーダの海側に張り出すように設けられ、かつ、上下方向に回動可能に連接されているブームが設けられている。ブームはコンテナ船が接岸するときは、その接岸に障害にならないように上方に起立し、荷役作業を行うときは、コンテナ船上に張り出すようにして水平に保持される。（以下、ガーダおよびブームを総称して「けた」という。）
【０００３】
図１に示すように、コンテナクレーンのけた１上には、走行レール４が敷設されており、走行レール４上をトロリ２が車輪２ａを介して移動可能に設けられている。トロリ２にはロープ１２によりヘッドブロック３が吊り下げられていて、図示しないガーダ上の陸側に設けられた巻上装置により昇降可能になっている。給電ケーブル１０は、地上からけた上に設けられた機械室をへて、図３（Ａ）に示すように中間をトロリ２底部に固定されて吊り下げられ、下端はヘッドブロック３上に配設されたケーブルバスケット８内にヘッドブロック３が上昇したときは自動的にとぐろを巻きながら収納され、ヘッドブロック３が降下したときは繰り出されながらスプレッダ９上に設けられた機器に給電する。
【０００４】
【発明が解決しようとする課題】
しかしながら、このようなコンテナクレーンの給電装置は、ヘッドブロックをゆっくり上昇させているときには給電ケーブルはケーブルバスケット内に自動的にとぐろを巻きながら収納されるので問題はないが、ヘッドブロックを巻き上げながら横行させて斜め移動するときや強風時に巻き上げたときには、ヘッドブロックがトロリの移動に追いつけず、図３（Ａ）に示すように給電ケーブルがケーブルバスケットからはみ出してしまうことがある。給電ケーブルがこぼれた状態で巻き下げるとこぼれた給電ケーブルがどこかに引っかかり、切損事故を起こしてしまう。また、切損事故を防止するため、はみ出しを起こすとコンテナ移送を一時中断しなければならないなどの問題がある。
【０００５】
本発明は、上記のような問題点を解決するために創案されたもので、ヘッドブロックを上昇した際に生じる給電ケーブルのケーブルバスケットからのはみ出しによる給電ケーブルの切損を防止するとともに、コンテナの荷役作業の効率化を図るようにしたコンテナクレーンの給電装置を提供することを目的とするものである。
【０００６】
【課題を解決するための手段】
本発明によれば、上端がクレーンけた上を移動するトロリ底部に固定されて吊り下げられ、下端がヘッドブロック上に配設されたケーブルバスケット内にとぐろを巻いて収納されて、コンテナを把持するスプレッダ上の機器に給電する給電ケーブルを支持するコンテナクレーンの給電装置であって、トロリ上に、給電ケーブルの固定部をけたの長手方向に移動するケーブル移動装置を設けて、ヘッドブロックを吊り上げる際に生じる給電ケーブルのケーブルバスケットからのはみだしを防止するようにしたコンテナクレーンの給電装置が提供される。
【０００７】
上記給電ケーブルをけたの長手方向に加えてけたの幅方向にも移動可能にするのが好ましい。
【０００８】
次に本発明の作用について説明する。
コンテナの荷役作業中、トロリはスプレッダでコンテナを把持し、ロープでヘッドブロックを吊り上げながらけた上を高速で移動して所定の位置に停止する。トロリの移動開始時、ヘッドブロックはトロリに吊り上げられながら移動するので、トロリよりも遅れて後から追いかけるようにして移動する。この際に給電ケーブルのトロリへの固定部とケーブルバスケット上端の位置のずれを補正するため、トロリ上に設けたケーブル移動装置によりトロリの加速に同調して自動的に給電ケーブルの固定部をトロリの進行方向後方に移動する。ヘッドブロックがトロリに追いついたら元に戻すことにより固定部が常にケーブルバスケット上端の真上になるようにする。また、強風時の荷役作業中には、運転室から運転士が遠隔操作により作動して、給電ケーブルの固定部を風上に向かって移動する。このように、ケーブル移動装置によって給電ケーブルを移動し、給電ケーブルをケーブルバスケット内にとぐろを巻かせながら円滑に収納するので、切損事故を起こしてしまうことがなく、したがって、コンテナの荷役作業を中断することもないので、コンテナの荷役作業の効率化を図ることができる。
【０００９】
【本発明の実施の形態】
以下、本発明の好ましい一実施形態について図面を参照して説明する。
図１は本発明のコンテナクレーンの給電装置の側面図である。図２は給電装置の拡大図である。
【００１０】
図において、１はコンテナクレーンのけたである。２はけた１に敷設した走行レール４上を車輪２ｂを介して移動可能に設けられたトロリである。３はヘッドブロックで、上面に設けたシーブ６とトロリ２上に設けたシーブ５に巻き廻わしたロープ１２によって吊り下げられ、けた１上の陸側に設けられた図示しない巻上装置によって昇降するようになっている。シーブ６はシーブ軸７に軸支されている。
【００１１】
８はヘッドブロック３上面の中央に立設された徳利形状の中空のケーブルバスケットである。９はヘッドブロック３の下面に着脱可能に設けられたスプレッダで、４隅にはコンテナ１１を把持する際、コンテナ１１を案内するコンテナガイド（フリッパ）９ａを軸支している。なお、スプレッダ９下面の４隅には、コンテナ１１を把持するツイストロック式コンテナ緊締装置（図示せず）が設けられている。
【００１２】
１０は給電ケーブルである。給電ケーブル１０は、地上からけた１上に設けられた機械室をへて、中間をトロリ２上に設けた後述するケーブル移動装置１３に固定されていて、ヘッドブロック３が上昇したときは、下端はケーブルバスケット８内に自動的にとぐろを巻きながら収納され、ヘッドブロック３が降下したときはケーブルバスケット８から繰り出されるようになっていてコンテナ１１を把持するスプレッダ９上の機器に給電する。
【００１３】
ケーブル移動装置１３は、図２に示すように一方側面を開口した長方形の枠体１３ａと、枠体１３ａ内の長手方向に設けた、駒１５を螺合したスクリューロッド１４と、スクリューロッド１４の一端を支持してスクリューロッド１４を回転させ、給電ケーブル１０を固定部材１９により固定した駒１５をけた１の長手方向（矢印２１の方向）に移動させるモータ１６とから構成されている。１９ａは固定部である。１６ａはスクリューロッド１４の他端を支持する軸受である。
【００１４】
１７は請求項２記載の給電ケーブル１０をけた１の幅方向にも移動させる電動シリンダである。電動シリンダ１７の先端は、枠体１３ａの長方形の側板１３ｂの中間に固定されており、後端はトロリ２底部に固定されている。１８はトロリ２底部のけた１の幅方向に設けた一対のガイドであり、１８ａは枠体１３ａの幅方向の側板１３ｃに設けたガイドローラである。ケーブル移動装置１３は、電動シリンダ１７の伸縮により、このガイドローラ１８ａを介してガイド１８上をブームの幅方向（矢印２２の方向）に移動する。
【００１５】
次に本実施形態の作用について述べる。
コンテナ１１の荷役作業中、トロリ２はスプレッダ９でコンテナ１１を把持し、ロープ１２でヘッドブロック３を吊り上げながらけた上を高速で移動して所定の位置に停止する。トロリ２の移動開始時、ヘッドブロック３はトロリ２に吊り上げられながら移動するので、トロリ２よりも遅れて後から追いかけるようにして移動する。この際に給電ケーブル１０のトロリ２への固定部１９ａとケーブルバスケット８上端の位置のずれを補正するため、トロリ２上に設けたケーブル移動装置１３によりトロリ２の加速に同調して自動的に給電ケーブル１０の固定部１９ａをトロリ２の進行方向後方に移動する。ヘッドブロック３がトロリ２に追いついたら元に戻すことにより固定部１９ａが常にケーブルバスケット８上端の真上になるようにする。また、強風時の荷役作業中には、運転室２０から運転士が遠隔操作により作動して、給電ケーブル１０の固定部１９ａを風上に向かって移動する。このように、ケーブル移動装置１３によって給電ケーブル１０を移動し、給電ケーブル１０をケーブルバスケット８内にとぐろを巻かせながら円滑に収納するので、切損事故を起こしてしまうことがなく、したがって、コンテナ１１の荷役作業を中断することもないので、コンテナ１１の荷役作業の効率化を図ることができる。
【００１６】
本発明は、上記実施の形態に限定されるものではなく、たとえば、給電ケーブルの移動をスクリューロッドに替えて油圧シリンダやリンク機構またはガイドを備えた台車式等で行ってもよいなど、本発明の要旨を逸脱しない範囲で種々変更し得ることは勿論である。
【００１７】
【発明の効果】
以上説明したように、本発明によれば、ヘッドブロックを上昇した際に生じる給電ケーブルのケーブルバスケットからのはみ出しによる給電ケーブルの切損を防止するとともに、コンテナの荷役作業の効率化を図るなどの優れた効果を奏する。
【図面の簡単な説明】
【図１】本発明のコンテナクレーンのケーブル給電装置の側面図である。
【図２】ケーブル給電装置の拡大図である。
【図３】ケーブル給電装置の概略説明図で、（Ａ）は給電ケーブルがケーブルバスケットからはみ出した状態を示す図、（Ｂ）はケーブル移動装置によって給電ケーブルをトロリの後方に移動した状態を示す図である。
【符号の説明】
１  クレーンけた
２  トロリ
３  ヘッドブロック
４  走行レール
７  軸
８  ケーブルバスケット
９  スプレッダ
１０  給電ケーブル
１１  コンテナ
１２  ロープ
１３  ケーブル移動装置
１４  スクリューロッド
１５  駒
１６  モータ
１７  電動シリンダ
１９ａ  固定部
【図１】
0004255559.tif 000002
【図２】
0004255559.tif 000003
【図３】
0004255559.tif 000004